(57)【特許請求の範囲】
【請求項１】
固定枠と、
前記固定枠に対して相対移動する可動枠と、
第１の磁極と第２の磁極とを有するアクチュエータと、
前記アクチュエータの近傍に配置されており、前記可動枠の位置を検出するための磁気センサと、前記アクチュエータと前記磁気センサとの間における前記磁気センサと対向する位置に配置されたマグネットと、前記アクチュエータが駆動されるとき前記アクチュエータと前記マグネットとの間で前記アクチュエータからの磁力線が通る位置に設けられるシールド板と、を有する像ぶれ補正機構と、
を備え、
前記アクチュエータは、前記像ぶれ補正機構以外の他の装置を駆動させるとともに、
前記シールド板は、前記マグネットと対向する位置に配置された本体部と前記本体部から突出した突出部とを含み、
前記本体部は、前記アクチュエータを駆動することにより前記アクチュエータから生じる磁力線のうちの前記第１の磁極から発生する磁力線が通る位置に設けられ、前記突出部は、前記アクチュエータから生じる磁力線のうちの前記第２の磁極から発生する磁力線が通る位置に設けられる、
レンズ鏡筒。
【請求項２】
前記突出部は、前記第２の磁極から発生する磁束を吸収する磁束吸収部と、前記磁束吸収部と前記本体部とを連結する連結部と、を有している、
請求項１に記載のレンズ鏡筒。
【請求項３】
前記突出部は、接着剤を介して、前記可動枠に接着される、
請求項１または２に記載のレンズ鏡筒。
【請求項４】
前記マグネットは、磁力によって前記シールド板に吸着されており、前記シールド板を介して前記可動枠に固定される、
請求項３に記載のレンズ鏡筒。
【請求項５】
前記アクチュエータは、シャッターアクチュエータである、
請求項１から４のいずれか１項に記載のレンズ鏡筒。
【発明の詳細な説明】
【技術分野】
【０００１】
ここに開示された技術は、撮像装置に用いられるレンズ鏡筒に関する。
【背景技術】
【０００２】
撮像装置に用いられるレンズ鏡筒は、像ぶれを補正する像ぶれ補正装置と、露光時間を制御するシャッター装置と、を備えている。
像ぶれ補正装置およびシャッター装置は、それぞれアクチュエータを有している。像ぶれ補正装置は、例えば、レンズを保持した枠体動かすアクチュエータを有している。シャッター装置は、羽根の開閉を制御するアクチュエータを有している（例えば、特許文献１参照）。
【先行技術文献】
【特許文献】
【０００３】
【特許文献１】特開２００８−１５１５９号公報
【発明の概要】
【０００４】
ここで、発明者は、撮像装置を小型化するために、像ぶれ補正装置のアクチュエータとシャッター装置のアクチュエータとを近接させて配置することを考えた。しかしながら、複数のアクチュエータを近接して配置すると、一方のアクチュエータによって発生される漏れ磁束の影響を、他方のアクチュエータが受けてしまい、互いのアクチュエータの動作に異常が生じるおそれがある。
【０００５】
そこで、ここに開示された技術は、互いに近接して配置されたアクチュエータのうちの一方から発生した漏れ磁束が、他方に影響を及ぼすことを抑制することが可能なレンズ鏡筒を提供することを目的とする。
上記目的を達成するために、ここに開示された技術に係るレンズ鏡筒は、固定枠と、可動枠と、アクチュエータと、像ぶれ補正機構と、を備えている。可動枠は、固定枠に対して相対移動する。アクチュエータは、第１の磁極と第２の磁極とを有する。像ぶれ補正機構は、アクチュエータの近傍に配置されており、磁気センサと、マグネットと、シールド板と、を有する。磁気センサは、可動枠の位置を検出するために設けられている。マグネットは、アクチュエータと磁気センサとの間における磁気センサと対向する位置に配置されている。シールド板は、アクチュエータとマグネットとの間に設けられるとともに、マグネットと対向する位置に配置された本体部と、本体部から突出した突出部と、を含む。本体部は、アクチュエータを駆動することによりアクチュエータから生じる磁力線のうちの第１の磁極から発生する磁力線が通る位置に設けられている。突出部は、アクチュエータから生じる磁力線のうちの第２の磁極から発生する磁力線が通る位置に設けられる。
（発明の効果）
上記の構成によれば、一方のアクチュエータによって発生される漏れ磁束が、他方のアクチュエータに影響を及ぼすことを抑制することが可能なレンズ鏡筒を提供することができる。
【図面の簡単な説明】
【０００６】
【図１】本技術の一実施形態に係るレンズ鏡筒の分解斜視図。
【図２】図１のレンズ鏡筒に含まれる像ぶれ補正装置の分解斜視図。
【図３】図２の像ぶれ補正装置の側面図。
【図４】図１のレンズ鏡筒に含まれるシャッター装置の分解斜視図。
【図５】図１のレンズ鏡筒に含まれるアクチュエータとシールド板との位置関係を示す図。
【図６】（ａ）〜（ｃ）は、図１のレンズ鏡筒に含まれるシールド板の上面図。
【図７】（ａ）〜（ｃ）は、図１のレンズ鏡筒に含まれるアクチュエータとシールド板との作用関係を示す図。
【図８】（ａ）〜（ｅ）は、図１のレンズ鏡筒に含まれる遮蔽部材の形状を示す図。
【図９】（ａ），（ｂ）は、図８の遮蔽部材の周辺を示すレンズ鏡筒の拡大断面図。
【発明を実施するための形態】
【０００７】
（実施の形態１）
［１．レンズ鏡筒の構成］
図１は、実施の形態１に係るレンズ鏡筒１の分解斜視図である。
本実施の形態に係るレンズ鏡筒１は、１群枠１００、２群枠２００、ズームモータ３００、シャッター装置４００、像ぶれ補正装置５００、４群枠６００、フォーカスモータ７００および撮像素子８００を備えている。
【０００８】
レンズ鏡筒１は、内部に設けられた複数の光学素子で構成された光学系によって、光線を撮像素子８００上に結像させる。
１群枠１００は、光学系を構成する少なくとも１つのレンズと、光線を９０°折り曲げるプリズム（図示せず）とを有している。
２群枠２００は、光学系を構成する少なくとも１つのレンズを保持する。２群枠２００は、１群枠１００内の空間における光軸Ｘ方向において移動自在に１群枠１００に保持される。
【０００９】
ズームモータ３００は、１群枠１００の側面に取り付けられる。ズームモータ３００は、１群枠１００内に設置された２群枠２００を、１群枠１００内における光軸Ｘ方向において移動させる。
シャッター装置４００は、露光時間を制御することにより、撮像素子８００に当たる光量を決定する。シャッター装置４００は、１群枠１００の撮像素子８００側に取り付けられる。
【００１０】
像ぶれ補正装置５００は、可動枠５１０と、３群枠（枠体）５２０と、固定枠５３０と、フレキシブルプリント基板５４０と、を有している。像ぶれ補正装置５００は、レンズ５１１（図２参照）を有する可動枠５１０を、光軸Ｘに垂直な面内で移動させることにより、像ぶれを補正する。
可動枠５１０は、図２に示すように、マグネット５１３およびマグネット５１５を有している。可動枠５１０は、３群枠５２０に対して光軸Ｘに垂直な平面方向において移動可能に支持される。
【００１１】
３群枠５２０は、図２に示すように、ホール素子（磁気センサ）５２２、コイル５２３、ホール素子（磁気センサ）５２４およびコイル５２５を有している。３群枠５２０は、シャッター装置４００の撮像素子８００側に取り付けられている。また、３群枠５２０は、固定枠５３０に保持されている。
固定枠５３０は、３群枠５２０を保持している。固定枠５３０は、光軸Ｘ方向において摺動可能な状態で、内部の空間に４群枠６００を保持する。固定枠５３０の側面には、フォーカスモータ７００が取り付けられている。固定枠５３０には、遮蔽部材８３０および板金８１０を介して撮像素子８００が取り付けられている。
【００１２】
フレキシブルプリント基板５４０は、ホール素子５２２、コイル５２３、ホール素子５２４およびコイル５２５に電気的に接続されている。また、フレキシブルプリント基板５４０は、レンズ鏡筒１のフレキシブルプリント基板１０と電気的に接続されている。
なお、像ぶれ補正装置５００については、後段にて詳述する。
４群枠６００は、ピントを合わせるためのレンズを保持する。４群枠６００は、フォーカスモータ７００により、固定枠５３０内において光軸Ｘ方向に駆動される。
【００１３】
フォーカスモータ７００は、固定枠５３０の側面に取り付けられている。フォーカスモータ７００は、４群枠６００を光軸Ｘ方向に駆動することにより、焦点を調節する。
撮像素子８００は、板金８１０に接着固定されている。
板金８１０は、間に遮蔽部材８３０を挟み込むようにして固定枠５３０に固定されている。撮像素子８００は、フレキシブルプリント基板８２０に電気的に接続されている。
【００１４】
本実施形態のレンズ鏡筒１は、以上のような構成を備えており、１群枠１００、シャッター装置４００、像ぶれ補正装置５００および撮像素子８００を光軸方向に積み重ねた状態で固定されることにより、光学系が構成される。
フレキシブルプリント基板１０は、レンズ鏡筒１に巻きつけられて固定されている。フレキシブルプリント基板１０、フレキシブルプリント基板４１０および固定枠５３０が、フレキシブルプリント基板８２０の端子に接続されることにより、ズームモータ３００、シャッター装置４００、像ぶれ補正装置５００、フォーカスモータ７００および撮像素子８００が制御回路に結線される。
【００１５】
レンズ鏡筒１は、ズームモータ３００を駆動し、２群枠２００の位置を変化させることにより、光学系の焦点距離を変化させ、ズーム動作させることができる。また、２群枠２００の位置および被写体との距離に応じて、フォーカスモータ７００を駆動し、４群枠６００の位置を変化させることにより、合焦させることができる。また、カメラ全体が振動した際において、像ぶれが発生した場合、像ぶれに対しそのぶれを打ち消す方向に移動させるように可動枠５１０の位置を制御することにより、像ぶれを抑制することができる。
【００１６】
［２．像ぶれ補正装置の構成］
像ぶれ補正装置５００の構成について詳しく説明する。図２は、本実施形態に係る像ぶれ補正装置５００の分解斜視図である。図３は、本実施形態に係る像ぶれ補正装置５００の側面図である。
像ぶれ補正装置５００は、図２に示すように、可動枠５１０、３群枠５２０、固定枠５３０およびフレキシブルプリント基板５４０を備えている。
【００１７】
可動枠５１０は、レンズ５１１、シールド板５１２、マグネット５１３、シールド板５１４およびマグネット５１５を有している。
レンズ５１１は、像ぶれを補正するレンズであって、可動枠５１０に保持されている。
シールド板５１２は、マグネット５１３の磁気をシールドするために設けられている。シールド板５１２は、可動枠５１０とマグネット５１３との間に配置されており、可動枠５１０に接着されている。
【００１８】
マグネット５１３は、可動枠５１０を回転移動させるアクチュエータを構成するマグネットであって、シールド板５１２に接着される。
シールド板５１４は、マグネット５１５およびシャッターアクチュエータ４３０の磁気をシールドするために設けられている。シールド板５１４は、可動枠５１０とマグネット５１５との間に配置されており、後述する突出部５１４ｂ（図５参照）の部分において可動枠５１０に接着される。
【００１９】
マグネット５１５は、可動枠５１０を並進移動させるアクチュエータを構成するマグネットであって、シールド板５１４に対して磁力によって吸着されている。マグネット５１５は、表面が防錆のためニッケルメッキ加工されている。このため、可動枠５１０に対して接着剤等で接着し難い。そこで、本実施形態では、マグネット５１５は、鉄製のシールド板５１４に対して磁力によって吸着され、シールド板５１４が可動枠５１０に対して接着されることで、マグネット５１５も間接的に可動枠５１０に対して固定される。
【００２０】
また、可動枠５１０には、Ｕ溝５１６、Ｕ溝５１７およびＵ溝５１８が形成されている。
Ｕ溝５１６、Ｕ溝５１７およびＵ溝５１８は、断面視において、略Ｕ字形状を有する切り欠きである。Ｕ溝５１６、Ｕ溝５１７およびＵ溝５１８は、後述されるスライドシャフト５２６、スライドシャフト５２７およびスライドシャフト５２８がそれぞれ係合される。
【００２１】
ここで、Ｕ溝５１６がスライドシャフト５２６に係合されることにより、可動枠５１０の並進移動およびスライドシャフト５２６を軸とした可動枠５１０の回転移動が可能となる。
Ｕ溝５１７は、スライドシャフト５２７と係合されることにより、可動枠５１０の光軸Ｘ方向への移動を規制する。
【００２２】
Ｕ溝５１８は、スライドシャフト５２８と係合されることにより、可動枠５１０の光軸Ｘ方向の移動および可動枠５１０の傾きを規制する。
さらに可動枠５１０は、図３に示すように、可動枠５１０の光軸Ｘ方向における撮像素子８００側の面から延伸した突起部５１９が形成されている。突起部５１９は、３群枠５２０に形成された貫通部５２１ｃに挿通された状態で、固定枠５３０に形成された穴部５３２に挿入されている。これにより、光軸Ｘに垂直な面内における可動枠５１０の移動範囲が規制される。
【００２３】
３群枠５２０には、レンズ５１１に対向する位置に開口部５２１ａが形成されている。３群枠５２０の側壁には、切り欠き部５２１ｂが形成されている。
切り欠き部５２１ｂは、スライドシャフト５２６，５２７，５２８が３群枠５２０に固定された状態でも、光軸Ｘと垂直な方向から可動枠５１０を３群枠５２０に組み付けることを可能とする。
【００２４】
なお、シャッター装置４００の側壁には、３群枠５２０の切り欠き部５２１ｂに対応する位置に、光軸Ｘ方向に延出した壁部４６１（図４参照）が形成されている。これにより、シャッター装置４００と３群枠５２０とを光軸Ｘ方向に重ねて固定することにより、像ぶれ補正装置５００の側壁には開口が形成されない。
また、３群枠５２０には、可動枠５１０の移動時、および可動枠５１０と３群枠５２０との組立時に、３群枠５２０と可動枠５１０とが互いに干渉しない様に、貫通部５２１ｃが形成されている。貫通部５２１ｃは、突起部５１９が３群枠５２０を介して穴部５３２に挿入されることを可能とする。これにより、固定枠５３０は、３群枠５２０を介して間接的に可動枠５１０を保持する。
【００２５】
また、３群枠５２０は、図２に示すように、ホール素子５２２、コイル５２３、ホール素子５２４およびコイル５２５を有している。
ホール素子５２２は、可動枠５１０の回転移動の移動量を検出するために、コイル５２３と並列されて３群枠５２０に接着されている。
コイル５２３は、可動枠５１０を回転移動させるアクチュエータを構成する。コイル５２３は、３群枠５２０においてマグネット５１３と対向する位置に接着されている。
【００２６】
ホール素子５２４は、可動枠５１０の並進移動の移動量を検出するために、コイル５２５と並列されて３群枠５２０に接着されている。
コイル５２５は、可動枠５１０を並進移動させるアクチュエータを構成する。コイル５２５は、３群枠５２０においてマグネット５１５と対向する位置に接着されている。
また、３群枠５２０は、スライドシャフト５２６、スライドシャフト５２７およびスライドシャフト５２８を有している。上述したように、スライドシャフト５２６、スライドシャフト５２７およびスライドシャフト５２８は、それぞれＵ溝５１６、Ｕ溝５１７およびＵ溝５１８に係合される。
【００２７】
可動枠５１０は、Ｕ溝５１７およびＵ溝５１８が、それぞれスライドシャフト５２７およびスライドシャフト５２８に係合されることにより、光軸Ｘと垂直な平面において移動自在に３群枠５２０に保持される。また、可動枠５１０は、Ｕ溝５１６がスライドシャフト５２６に係合されることにより、スライドシャフト５２６を中心に回転自在、かつスライド可能に支持される。
【００２８】
固定枠５３０は、光軸Ｘ方向に沿って形成された開口と、撮像素子８００側の開口に設けられたレンズ５３１と、を有している。固定枠５３０は、被写体側の端面において３群枠５２０を保持する。また、固定枠５３０は、被写体側の端面に、光軸Ｘ方向に凹んだ穴部５３２を有している。
そして、可動枠５１０、３群枠５２０および固定枠５３０が光軸Ｘ方向に重ねて固定されることにより、可動枠５１０の突起部５１９が、固定枠５３０の穴部５３２に挿入される。
【００２９】
穴部５３２は、平面視において略四角形の穴として形成されており、固定枠５３０の被写体側の端面における位置決め基準位置付近に設けられている。ここで、位置決め基準位置とは、固定枠５３０に対して可動枠５１０を取り付ける際に、可動枠５１０側の突起部５１９を固定枠５３０側の穴部５３２に挿入した状態で、略四角形の穴部５３２の第１壁面に突起部５１９を当接させた状態から対向する第２壁面へ突起部５１９を移動させるとともに、これに直交する方向においても同様に、第３壁面とこれに対向する第４壁面との間で突起部５１９を移動させた際のホール素子の出力５２２，５２４の出力に基づいて、光軸方向に直交する２つの方向における中心位置を設定する際の位置決めの基準位置となる位置を意味している。
【００３０】
なお、本実施形態では、図３に示すように、穴部５３２が形成される位置決め基準位置は、図中左側の端部付近となる。
また、略四角形の穴部５３２の大きさは、突起部５１９の径より一回り大きく形成されている。そのため、可動枠５１０は、穴部５３２の内周面と突起部５１９の外周面との間に生じるクリアランス内で移動することができる。これにより、突起部５１９が穴部５３２に挿入されることにより、可動枠５１０の光軸Ｘと垂直な面内における移動は、所定の範囲内に規制されるとともに、上述した位置決め処理を行うことができる。
【００３１】
以上の構成により、レンズ間の相対的な位置精度を向上させた像ぶれ補正装置５００を提供することができる。
一般的に、レンズ同士の光軸が完全に同軸の場合には、光学系の性能が最も高い。一方、同軸の状態からずれる程、光学系の性能が悪化する。
本実施形態の像ぶれ補正装置５００は、上記の構成により、レンズ間の位置精度を向上させるとこができるため、設計上の光学性能の悪化を低減できる。そのため、像ぶれ補正装置５００を用いることで、バラツキを含めた平均性能が高いレンズ鏡筒１を提供することができる。
【００３２】
さらに、本実施形態の像ぶれ補正装置５００は、以下に示すような有用な効果も得られる。
すなわち、像ぶれ補正装置５００は、部品点数が少なく組み立てが容易である。
可動枠５１０の移動を３群枠５２０で規制する場合、一般的に、Ｕ溝部とスライドシャフトとを係合させるためには、Ｕ溝部にスライドシャフトを係合させてから、さらに別の部材を組み付ける必要がある。あるいは、可動枠５１０と３群枠５２０とを組み合わせた後に、スライドシャフトを挿入する必要がある。
【００３３】
これに対し、本実施形態の像ぶれ補正装置５００は、可動枠５１０に形成された突起部５１９が固定枠５３０に形成された穴部５３２に挿入されている。
これにより、光軸Ｘに垂直な平面における可動枠５１０の移動を最小限に規制できるため、別部材が不要となる。
また、３群枠５２０の側壁には、切り欠き部５２１ｂが形成されている。そのため、スライドシャフト５２６，５２７，５２８が３群枠５２０に固定された状態でも、光軸Ｘと垂直な方向から可動枠５１０を３群枠５２０に組み付けることを可能とする。よって、像ぶれ補正装置５００は、組み立てが容易である。
【００３４】
また、像ぶれ補正装置５００は、性能が悪化することを抑制できる。
すなわち、別部材を追加して可動枠５１０の移動を規制する方法では、可動枠５１０および３群枠５２０に別部材を固定する際に、ガタまたは変形等が発生することにより、性能が悪化してしまうおそれがある。
また、後からスライドシャフトを挿入する方法では、スライドシャフトを挿入する際にＵ溝部にキズが付く等の不具合が発生することにより、性能が悪化する可能性がある。
【００３５】
これに対し、本実施形態の像ぶれ補正装置５００は、可動枠５１０に一体形成された突起部５１９を穴部５３２に挿入することにより、光軸Ｘに垂直な平面における可動枠５１０の移動を規制している。
これにより、本像ぶれ補正装置５００は、後から別部材を組み付ける必要がない。
また、３群枠５２０の側壁には、切り欠き部５２１ｂが形成されている。
【００３６】
これにより、スライドシャフト５２６、スライドシャフト５２７および５２８が３群枠５２０に固定された状態でも、光軸Ｘと垂直な方向から可動枠５１０を３群枠５２０に組み付けることを可能とする。つまり、像ぶれ補正装置５００は、後からスライドシャフトを挿入する必要がない。よって、本像ぶれ補正装置５００は、組立時における性能の悪化を、従来よりも効果的に抑制することができる。
【００３７】
なお、本実施形態の像ぶれ補正装置５００は、可動枠５１０が突起部５１９を有し、固定枠５３０が穴部５３２を有している例を挙げて説明した。しかし、本技術はこれに限定されるものではない。
例えば、固定枠５３０が光軸方向に延伸した突起部を有し、可動枠５１０は突起部が挿入される穴部を有する像ぶれ補正装置５００であってもよい。この場合でも、突起部が穴部に挿入されることにより、可動枠５１０の移動を所定の範囲内に規制することができる。
【００３８】
また、本実施形態の像ぶれ補正装置５００は、可動枠５１０が３群枠５２０を介して間接的に固定枠５３０に保持される例を挙げて説明した。しかし、本技術は、これに限定されるものではない。
例えば、像ぶれ補正装置５００は、固定枠５３０にスライドシャフト等が固定され、固定枠５３０が直接的に可動枠５１０を保持する構成であってもよい。
また、例えば、像ぶれ補正装置５００、３群枠５２０と固定枠５３０とが一体形成されてもよい。
【００３９】
［３．シャッター装置の構成］
シャッター装置４００の構成に関して詳しく説明する。図４は、本実施形態のシャッター装置４００の分解斜視図である。
【００４０】
シャッター装置４００は、図４に示すように、フレキシブルプリント基板４１０、本体枠４２０、シャッターアクチュエータ４３０、ＮＤアクチュエータ４４０、羽根４５０および羽根固定枠４６０を備えている。
フレキシブルプリント基板４１０は、シャッターアクチュエータ４３０とＮＤアクチュエータ４４０とに電気的に接続される。また、フレキシブルプリント基板４１０は、レンズ鏡筒１のフレキシブルプリント基板１０の端子と電気的に接続される。
【００４１】
これにより、シャッターアクチュエータ４３０とＮＤアクチュエータ４４０とは、制御回路に電気的に接続される。
本体枠４２０は、１群枠１００の撮像素子８００側に取り付けられる。本体枠４２０は、枠状であり、内部にシャッターアクチュエータ４３０とＮＤアクチュエータ４４０とを保持する。本体枠４２０は、撮像素子８００側に羽根４５０を保持する。本体枠４２０には、間に羽根４５０を挟み込むようにして、羽根固定枠４６０が取り付けられる。
【００４２】
シャッターアクチュエータ４３０は、羽根４５０の開口部４５１の開閉を制御する。
ＮＤアクチュエータ４４０は、羽根４５０の開口部４５１に光の透過率を制限するフィルター（図示せず）を挿抜する。
なお、本実施形態のＮＤアクチュエータ４４０およびシャッターアクチュエータ４３０は、電磁式アクチュエータである。シャッターアクチュエータ４３０は、ヨーク４３１、コイル４３２およびマグネット４３３を有している（図６（ａ）参照）。ＮＤアクチュエータ４４０も、ヨーク、コイル及びマグネットを有している（図示せず）。
【００４３】
羽根４５０は、開口部４５１を有しており、シャッターアクチュエータ４３０によって開口部４５１の開閉を制御される。
羽根固定枠４６０は、羽根４５０を挟んで本体枠４２０に取り付けられることにより、羽根４５０を本体枠４２０に対して固定する。
【００４４】
［４．シャッター装置と像ぶれ補正装置との関係］
ここで、シャッター装置４００の構造と像ぶれ補正装置５００の構造との関係について詳細に説明する。
像ぶれ補正装置５００は、マグネット５１３およびコイル５２３、またはマグネット５１５およびコイル５２５によって構成された電磁式のアクチュエータを有している。
また、シャッター装置４００も、電磁式のアクチュエータであるシャッターアクチュエータ４３０とＮＤアクチュエータ４４０とを有している。
そのため、シャッター装置４００と像ぶれ補正装置５００とを近接させて配置すると、一方のアクチュエータによって発生される漏れ磁束の影響を、他方のアクチュエータが受けてしまい、互いのアクチュエータの動作に異常が生じるおそれがある。
【００４５】
例えば、本実施形態の構成では、シャッターアクチュエータ４３０のコイル４３２に通電した際の漏れ磁束が、像ぶれ補正装置５００のホール素子５２４に影響を及ぼすことが分かった。
これにより、ホール素子５２４による可動枠５１０の位置を検出する精度が悪化するおそれがある。
【００４６】
また、像ぶれ補正装置５００におけるマグネット５１５の磁束がシャッターアクチュエータ４３０に影響を及ぼすことが分かった。
これにより、シャッターアクチュエータ４３０の動作が低下するおそれがある。
あるいは、像ぶれ補正装置５００におけるマグネット５１５と、シャッターアクチュエータ４３０のヨーク４３１またはマグネット４３３との間に引力が発生することが分かった。
【００４７】
これにより、部品間の摩擦力が増加することにより、シャッターアクチュエータ４３０および像ぶれ補正装置５００が動作し難くなる等の不具合が発生するおそれがある。
そこで、本実施形態では、シールド板５１４が、特徴的な形状を有している。図５は、本実施形態のシールド板５１４の上面図である。
シールド板５１４は、本体部５１４ａと突出部５１４ｂと突起部５１４ｃとを有している。
【００４８】
本体部５１４ａは、マグネット５１５と同様の略四角形状を有しており、マグネット５１５と対向する位置に接着される。
突出部５１４ｂは、光軸と垂直な面内において、本体部５１４ａからシャッターアクチュエータ４３０側に突出している。また、突出部５１４ｂは、図５に示すように、磁束吸収部５１４ｂａと、連結部５１４ｂｂとを有している。
【００４９】
磁束吸収部５１４ｂａは、シャッターアクチュエータ４３０と対向する位置に配置されており、シャッターアクチュエータ４３０の第２の磁極４３０ｂ（図７（ｃ）参照）から発生する磁束を吸収する。
連結部５１４ｂｂは、本体部５１４ａと磁束吸収部５１４ｂａとを連結しており、本体部５１４ａおよび磁束吸収部５１４ｂａよりも面積が小さい。
【００５０】
突起部５１４ｃは、可動枠５１０にマグネット５１５を取り付ける際にマグネット５１５の位置決めをするために設けられている。
次に、シャッターアクチュエータ４３０とシールド板５１２との位置関係について説明する。図６（ａ）〜図６（ｃ）は、本実施形態のシャッターアクチュエータ４３０とシールド板５１２との位置関係を示す図である。図６（ａ）は、上面図である。図６（ｂ）は、正面図ある。図６（ｃ）は、底面図である。
【００５１】
まず、シャッターアクチュエータ４３０は、馬蹄形のヨーク４３１と、ヨーク４３１に巻回されたコイル４３２と、略円筒状のマグネット４３３とを有している。
なお、ここでは説明は省略するが、本実施形態では、ＮＤアクチュエータ４４０も、シャッターアクチュエータ４３０と同様の構成を有している。
シールド板５１４は、マグネット５１５と対向する本体部５１４ａ以外に、意図的に本体部５１４ａから突出させた突出部５１４ｂを有している。この突出部５１４ｂは、シャッターアクチュエータ４３０と対向する位置に設けられている。
【００５２】
つまり、本体部５１４ａは、シャッターアクチュエータ４３０から生じる磁力線のうち一方の第１の磁極４３０ａから発生する磁力線が通る位置に設けられる。また、突出部５１４ｂは、シャッターアクチュエータ４３０から生じる磁力線のうち他方の第２の磁極４３０ｂから発生する磁力線が通る位置に設けられる。
上述したように、像ぶれ補正装置５００は、可動枠５１０の位置を検出するホール素子５２４、可動枠５１０を駆動するマグネット５１５およびコイル５２５を有している。
【００５３】
マグネット５１５は、シャッターアクチュエータ４３０とホール素子５２４との間にホール素子５２４と対向して配置される。
さらに、像ぶれ補正装置５００は、マグネット５１５およびシャッターアクチュエータ４３０の磁気をシールドするシールド板５１４を有している。
シールド板５１４は、シャッターアクチュエータ４３０とマグネット５１５との間に設けられる。シールド板５１４は、マグネット５１５から発生する磁束を吸収する。特に、シールド板５１４の本体部５１４ａは、マグネット５１５のシャッターアクチュエータ４３０側に発生する漏れ磁束を低減する役割を果たしている。
【００５４】
このように、本体部５１４ａは、マグネット５１５からシャッターアクチュエータ４３０側に発生する漏れ磁束を低減する。
これにより、本体部５１４ａは、マグネット５１５の磁束がシャッターアクチュエータ４３０に回り込むことに起因してマグネット５１５の磁束がシャッターアクチュエータ４３０の動作を低下させることを抑制することができる。
【００５５】
また、本体部５１４ａは、マグネット５１５とヨーク４３１との間に引力が発生することを抑制することができる。本体部５１４ａは、マグネット５１５とマグネット４３３との間に引力が発生することを抑制することができる。
また、本体部５１４ａは、マグネット５１５周辺の磁気抵抗を低減する役割も果たしている。よって、マグネット５１５を薄くしても、本体部５１４ａを設けない場合と同等の磁束が得られる。ここで、近年、永久磁石は、使用されているＮｄ（ネオジウム）、Ｄｙ（ディスプロシウム）等の希土類金属の価格高騰により、材料費が高騰している。このため、本体部５１４ａを設けることにより、マグネット５１５を薄くすることが可能となる。この結果、マグネット５１５の磁石材料の使用量が低減し、材料費が低減される。
【００５６】
上記の様に、マグネット５１５に対向するようにシールド板５１４の一部（本体部５１４ａ）が設けられることにより、マグネット５１５の漏れ磁束がシャッター装置４００に影響することを抑制することができる。
しかし、本体部５１４ａは、シャッター装置４００の漏れ磁束が像ぶれ補正装置５００に影響することに対しての対策として十分ではない。
【００５７】
本実施形態では、この対策として、図３に示すように、シールド板５１４は、マグネット５１５と対向する本体部５１４ａ以外に、意図的に本体部５１４ａから突出した突出部５１４ｂを有している。
以下で、シールド板５１４に突出部５１４ｂを設けた効果について詳しく説明する。
図７（ａ）〜図７（ｃ）は、本実施形態のシャッターアクチュエータ４３０とシールド板５１４との作用関係を示す図である。図７（ａ）は、シールド板５１４がない場合、図７（ｂ）は、シールド板５１４の突出部５１４ｂがない場合、図７（ｃ）は、シールド板５１４の突出部５１４ｂがある場合の磁力線を示している。なお、図７（ｃ）は、図６（ａ）のＸ−Ｘ線断面図である。
【００５８】
なお、図７（ａ）〜図７（ｃ）に示す線は、シャッターアクチュエータ４３０から発生した磁力線を示している。図７（ａ）〜図７（ｃ）に示すように、シャッターアクチュエータ４３０から発生する磁束は、馬蹄形のヨーク４３１における一方側（第１の磁極４３０ａ）から発生して他方側（第２の磁極４３０ｂ）に戻る。
図７（ａ）〜図７（ｃ）に示す３つの場合について、発明者は、ホール素子５２４に作用する磁束密度を磁界解析ソフトを用いて計算した。その結果が以下に示される。
【００５９】
図７（ａ）の場合、ホール素子５２４に作用する磁束密度は、３．１０ガウスであった。図７（ｂ）の場合、ホール素子５２４に作用する磁束密度は、４．５９ガウスであった。図７（ｃ）の場合、ホール素子５２４に作用する磁束密度は、２．４３ガウスであった。
ホール素子５２４に作用する磁束密度は、図７（ａ）の場合よりも、図７（ｂ）の場合の方が高いということが分かった。つまり、単純にマグネット５１５に本体部５１４ａを設けるのみでは、シールド板５１４を設けない場合よりもホール素子５２４に作用する漏れ磁束が増加することが分かった。
【００６０】
これは、シールド板５１４によって、磁路が短絡されたり、周辺の磁束が集められたりするからであると考えられる。
シールド板５１４は、磁気抵抗の小さい材質で作製される。そのため、シールド板５１４がシャッターアクチュエータ４３０の一方側近傍に配置された場合、シールド板５１４が磁路を短絡したり、周辺の磁束を集めたりする。これにより、ホール素子５２４に作用する漏れ磁束が増えると考えられる。
【００６１】
一方、図７（ｃ）の場合には、ホール素子５２４に作用する磁束密度が小さくなることが分かった。図７（ｃ）の場合では、シールド板５１４の突出部５１４ｂが、シャッターアクチュエータ４３０の一方側（第１の磁極４３０ａ）付近だけでなく、他方側（第２の磁極４３０ｂ）まで伸びている。そのため、シャッターアクチュエータ４３０の一方側（第１の磁極４３０ａ）から出た磁力線は、突出部５１４ｂに入り、本体部５１４ａの中を通過し、シャッターアクチュエータ４３０の他方側（第２の磁極４３０ｂ）に戻る。これにより、ホール素子５２４に作用する漏れ磁束は小さくなると考えられる。
【００６２】
よって、本実施形態の様に、ホール素子５２４に作用する磁束密度を軽減するためには、シャッターアクチュエータ４３０から生じる磁力線の両側にシールド板５１４が設けられることが必要である。
つまり、シャッターアクチュエータ４３０から生じる磁力線のうちの第１の磁極４３０ａから発生する磁力線が通る位置と、シャッターアクチュエータ４３０から生じる磁力線のうちの第２の磁極４３０ｂから発生する磁力線が通る位置との両方をカバーする様に、シールド板５１４が設けられていればよい。
【００６３】
しかしながら、レンズ鏡筒１を小型化しようとすると、像ぶれ補正装置５００のマグネット５１５およびシャッターアクチュエータ４３０を配置できる位置が制約される。このため、単純にマグネット５１５に対向する位置にのみシールド板５１４を配置しただけでは、十分な効果は期待できない場合が多い。
そこで、本実施形態のように、シールド板５１４は、マグネット５１５と対向する本体部５１４ａ以外に、意図的に本体部５１４ａから突出させた突出部５１４ｂを有している。
【００６４】
図７（ｃ）に示すように、本体部５１４ａは、シャッターアクチュエータ４３０から生じる磁力線のうちの第１の磁極４３０ａから発生する磁力線が通る位置に設けられる。
また、突出部５１４ｂは、図７（ｃ）に示すように、シャッターアクチュエータ４３０から生じる磁力線のうちの第２の磁極４３０ｂから発生する磁力線が通る位置に設けられる。
【００６５】
これにより、マグネット５１５の漏れ磁束がシャッター装置４００に影響すること、およびシャッター装置４００の漏れ磁束が像ぶれ補正装置５００に影響することを効果的に抑制することができる。
したがって、本実施形態のレンズ鏡筒１では、複数のアクチュエータを近接して配置する構成を採用した場合でも、一方のアクチュエータによって発生される漏れ磁束が、他方のアクチュエータに影響を及ぼすことを抑制することができる。
【００６６】
ここで、突出部５１４ｂは面積を大きくして、シャッターアクチュエータ４３０の全体をカバーする形状にすることも考えられる。その場合、ホール素子５２４に作用する漏れ磁束を低減する効果がより高くなると考えられる。
しかし、突出部５１４ｂを大きくしすぎると、シールド板５１４を含めた可動枠５１０の質量が増加してしまう。これにより、像ぶれ補正装置５００の性能が悪化することが考えられる。また、シールド板５１４のサイズが大きくなってしまう。このため、レンズ鏡筒１のサイズの大型化につながってしまうと考えられる。
【００６７】
本技術の発明者は、突出部５１４ｂが本体部５１４ａに対して小さい面積であっても、本体部５１４ａ側を通る磁力線とその反対側の磁力線が通る位置に突出部５１４ｂが設けられることにより、十分な効果が得られることを見出した。
なお、突出部５１４ｂの形状およびサイズは、漏れ磁束の低減効果を勘案して、決定されることが好ましい。
【００６８】
本実施形態では、可動枠５１０側に、マグネット５１３、マグネット５１５、シールド板５１２およびシールド板５１４が設けられ、３群枠５２０側に、ホール素子５２２、ホール素子５２４、コイル５２３およびコイル５２５が設けられている、いわゆる磁石可動型の構成を例として挙げて説明した。しかし、本技術はこれに限定されるものではない。
例えば、図示しないが、磁石可動型と対極となる、いわゆるコイル可動型の構成を採用してもよい。つまり、可動枠５１０にホール素子５２２、ホール素子５２４、コイル５２３およびコイル５２５が設けられ、３群枠５２０にマグネット５１３、マグネット５１５、シールド板５１２およびシールド板５１４が設けられてもよい。
【００６９】
以上のように、本実施形態のレンズ鏡筒１では、シールド板５１４は、マグネット５１５と対向する本体部５１４ａと、本体部５１４ａから突出した突出部５１４ｂと、を含む。本体部５１４ａは、シャッターアクチュエータ４３０を駆動することにより、シャッターアクチュエータ４３０から生じる磁力線のうちの第１の磁極４３０ａから発生する磁力線が通る位置に設けられる。また、突出部５１４ｂは、シャッターアクチュエータ４３０から生じる磁力線のうちの第２の磁極４３０ｂから発生する磁力線が通る位置に設けられる。
【００７０】
これにより、マグネット５１５の漏れ磁束がシャッター装置４００に影響すること、およびシャッター装置４００の漏れ磁束が像ぶれ補正装置５００に影響することを抑制することができる。
したがって、本実施形態のレンズ鏡筒１では、複数のアクチュエータを近接して配置した場合でも、一方のアクチュエータ（シャッターアクチュエータ４３０）から発生した漏れ磁束が、他方のアクチュエータに影響を及ぼすことを抑制することができる。
【００７１】
なお、本実施形態では、シャッターアクチュエータ４３０周辺の構成について説明したが、ＮＤアクチュエータ４４０周辺の構成についても、同様の構成を適用することも可能である。
ただし、カメラにおいて撮影する瞬間にＮＤ機構を動作させることは希であり、ＮＤ機構よりもシャッター機構側に本構成を採用する方がより効果が高い。
また、上記以外にも、レンズ駆動用のアクチュエータと像ぶれ補正機構との間に本構成を適用することも可能である。
【００７２】
［５．遮蔽部材の構成］
以下では、撮像素子８００と固定枠５３０との間の隙間を遮蔽する遮蔽部材８３０の構成に関して説明する。
【００７３】
図８（ａ）〜図８（ｅ）は、本実施形態の遮蔽部材８３０の形状を示す図であって、それぞれ上面図、側面図、正面図、Ａ−Ａ断面図、Ｂ−Ｂ断面図である。
また、図９（ａ）および図９（ｂ）は、本実施形態の遮蔽部材８３０の周辺の構成を示すレンズ鏡筒１の拡大断面図であって、それぞれ、正面から見た断面図、側面から見た断面図を示している。
【００７４】
遮蔽部材８３０は、図８（ａ）に示すように、撮像素子８００に対向する位置に開口した開口部８３１を有している。遮蔽部材８３０は、外周部分に、４つの角部が外側方向に張り出した頂点部８３２と、４角形の４辺に相当する辺部８３３と、を有している。また、遮蔽部材８３０は、図８（ｂ）および図８（ｃ）に示すように、側面視において略台形の形状となる外形を有している。
【００７５】
頂点部８３２は、エッジの無い湾曲状に形成されている。すなわち、遮蔽部材８３０の外周形状は、４角形状の４つの角部を外周方向に張り出させ滑らかな曲線でつないだ形状を有している。
また、遮蔽部材８３０は、固定枠５３０に押し当てられる押し当て面８３４と、板金８１０に固定される外周部８３５と、を有している。
【００７６】
さらに、遮蔽部材８３０は、押し当て面８３４に対する外周部８３５の角度が、頂点部８３２と辺部８３３とで異なる。具体的には、辺部８３３における押し当て面８３４に対する外周部８３５の角度をα、頂点部８３２における押し当て面８３４に対する外周部８３５の角度をβとすると、αとβとは、以下の関係式（１）を満足するように設計されている。
【００７７】
ｔａｎα＞√２×ｔａｎβ  ・・・・・（１）
例えば、遮蔽部材８３０の形状は、四角い平面板状部材が、４つの角部にしわが寄らないように４つの辺部を所定の角度で折り曲げられた状態で、最初の平面から所定の高さで切断された様な形状である。
また、図９（ａ）および図９（ｂ）に示すように、撮像素子８００は、板金８１０に固定されており、板金８１０と固定枠５３０の間に遮蔽部材８３０を挟み込むようにして固定されている。
【００７８】
これにより、遮蔽部材８３０は、固定枠５３０に保持されたレンズ５３１と板金８１０との間の隙間を遮蔽している。より詳細には、遮蔽部材８３０は、レンズ５３１に対して押し当て面８３４を押し当てられることにより、撮像素子８００と固定枠５３０との間の隙間を遮蔽している。
ここで、レンズ鏡筒１は、製造工程において、撮像素子８００が意図的に光軸Ｘに対して僅かに傾けて固定される。これは、一品一様で撮像素子８００の傾きを調整することにより、各レンズ群の誤差等を吸収し最大限の解像性能を発揮できるようにするためである。撮像素子８００の傾きを調整した場合、板金８１０と固定枠５３０との隙間および板金８１０とレンズ５３１との隙間は、撮像素子８００の傾きによって変化する。
【００７９】
したがって、撮像素子８００と固定枠５３０との間、および撮像素子８００とレンズ５３１との間に異物が侵入しないように遮蔽する為には、遮蔽部材８３０が隙間の大きさの変化に対応して変形する必要がある。
本実施形態の遮蔽部材８３０は、上記のような形状をしているため、遮蔽部材８３０自体の伸縮が抑制される。このため、変形するのみで隙間に沿うことができる。これにより、板金８１０および固定枠５３０との密着性が高くなって、塵や埃等の異物の侵入を効果的に抑制することができる。
【００８０】
ここで、遮蔽部材８３０の外周形状について、単純な長方形の場合と比較して説明する。
遮蔽部材が単純な長方形の場合には、板金８１０と固定枠５３０の隙間が小さくなった際に、４つの角部周辺の遮蔽部材が伸縮しない限り、捩れや撓みが発生してしまう。つまり、遮蔽部材８３０にしわが寄ってしまう。
【００８１】
また、遮蔽部材８３０の外周形状は、単純に四角形状の４つの角部を外周方向に張り出させ滑らかな曲線でつないだ形状にするだけでは、十分な効果は発揮できない。
押し当て面８３４に対する外周部８３５の角度α，βが、例えば、以下の関係式（２）を満たすように設計されている場合、単純な長方形の場合と同様に遮蔽部材８３０にしわが寄ってしまう。
【００８２】
ｔａｎα＝√２×ｔａｎβ  ・・・・・（２）
この場合には、単純な四角錐台の形状となり、板金８１０と固定枠５３０の隙間が小さくなった場合、４つの角部周辺の遮蔽部材が伸縮しない限り、捩れや撓みが発生してしまう。従って、押し当て面８３４に対する外周部８３５の角度が、上述した以下の関係式（１）を満足する様に遮蔽部材８３０が設計されることが必要である。
【００８３】
ｔａｎα＞√２×ｔａｎβ  ・・・・・（１）
これにより、本実施形態のように、四角形の４つの角部を外周方向に張り出させるとともに、滑らかな曲線でつないだ形状にすることにより、板金８１０と固定枠５３０の隙間が小さくなった場合でも、遮蔽部材８３０は殆ど伸縮することなく、変形するのみで隙間に沿うことができる。この結果、遮蔽部材８３０にしわが寄りにくく、板金８１０および固定枠５３０との密着性が高くなって、塵や埃等の異物の侵入を効果的に抑制することができる。
【００８４】
また、ここに開示された技術によれば、遮蔽部材８３０の材質としてゴム等の伸縮し易い材質が使用されなくてもよい。遮蔽部材８３０の材料として、伸縮し辛いが変形し易い材料を使用すればよい。
例えば、樹脂の薄板、金属の薄板等をプレス加工等で成型した部材を用いることができる。これらは、ゴムと比較して薄く、成型も容易であるため、さらに狭い隙間を遮蔽することができる。また、樹脂の薄板、金属の薄板等は、導電性、反射防止等の機能を付加しやすい。このため、これらは、遮蔽だけでなく、静電気除去、不要光線のカット等他の機能を複合させることもできる。
【００８５】
［６．まとめ］
（構成１）
本実施形態に係るレンズ鏡筒１は、固定枠５３０と、可動枠５１０と、第１・第２の磁極を有するシャッターアクチュエータ４３０（アクチュエータの一例）と、シャッターアクチュエータ４３０の近傍に設けられる像ぶれ補正装置５００と、を備えている。像ぶれ補正装置５００は、固定枠５３０に対する可動枠５１０の相対位置を検出するためのホール素子５２４（磁気センサの一例）と、シャッターアクチュエータ４３０とホール素子５２４の間におけるホール素子５２４と対向する位置に配置されるマグネット５１５と、シャッターアクチュエータ４３０とマグネット５１５との間に設けられるシールド板５１４と、を有している。シールド板５１４は、マグネット５１５と対向する本体部５１４ａと、本体部５１４ａから突出した突出部５１４ｂと、を含む。本体部５１４ａは、シャッターアクチュエータ４３０を駆動することによりシャッターアクチュエータ４３０から生じる磁力線のうちの第１の磁極から発生する磁力線が通る位置に設けられる。突出部５１４ｂは、シャッターアクチュエータ４３０から生じる磁力線のうちの第２の磁極から発生する磁力線が通る位置に設けられる。
【００８６】
構成１によれば、複数のアクチュエータを近接して配置しても、一方のアクチュエータによって発生される漏れ磁束が、他方のアクチュエータに影響を及ぼすことを抑制することができる。
【産業上の利用可能性】
【００８７】
ここに開示された技術は、カメラ機能を有する装置、例えば、カメラ、カメラ付き携帯電話、カメラ付きポータブル端末等に適用できる。
【符号の説明】
【００８８】
１      レンズ鏡筒
１０      フレキシブルプリント基板
１００      １群枠
２００      ２群枠
３００      ズームモータ
４００      シャッター装置
４１０      フレキシブルプリント基板
４２０      本体枠
４３０      シャッターアクチュエータ
４３０ａ    第１の磁極
４３０ｂ    第２の磁極
４３１      ヨーク
４３２      コイル
４３３      マグネット
４４０      ＮＤアクチュエータ
４５０      羽根
４５１      開口部
４６０      羽根固定枠
４６１      壁部
５００      像ぶれ補正装置
５１０      可動枠
５１１      レンズ
５１２      シールド板
５１３      マグネット
５１４      シールド板
５１４ａ    本体部
５１４ｂ    突出部
５１４ｂａ  磁束吸収部
５１４ｂｂ  連結部
５１４ｃ    突起部
５１５      マグネット
５１６      Ｕ溝
５１７      Ｕ溝
５１８      Ｕ溝
５１９      突起部
５２０      ３群枠（枠体）
５２１ａ    開口部
５２１ｂ    切り欠き部
５２１ｃ    貫通部
５２２      ホール素子（磁気センサ）
５２３      コイル
５２４      ホール素子（磁気センサ）
５２５      コイル
５２６      スライドシャフト
５２７      スライドシャフト
５２８      スライドシャフト
５３０      固定枠
５３１      レンズ
５３２      穴部
５４０      フレキシブルプリント基板
６００      ４群枠
７００      フォーカスモータ
８００      撮像素子
８１０      板金
８２０      フレキシブルプリント基板
８３０      遮蔽部材
８３１      開口部
８３２      頂点部
８３３      辺部
８３４      押し当て面
８３５      外周部
【図１】
0006037313.tif 000002
【図２】
0006037313.tif 000003
【図３】
0006037313.tif 000004
【図４】
0006037313.tif 000005
【図５】
0006037313.tif 000006
【図６】
0006037313.tif 000007
【図７】
0006037313.tif 000008
【図８】
0006037313.tif 000009
【図９】
0006037313.tif 000010